(57)【要約】【課題】接触式の入力手段に対する意図しない接触による誤動作を防止することができる携帯端末を提供する。【解決手段】第一の状態とこの第一の状態とは異なる第二の状態との間で遷移動作する筐体と、前記筐体の遷移動作を検出する検出手段と、前記筐体に設けられ接触を検出することにより入力を受け付ける接触式入力手段と、前記検出手段により前記筐体の遷移動作が検出された後に前記接触式入力手段が入力を受け付けた場合、受け付けた入力を無効にする制御手段とを備えた。【選択図】  図３
2011254284.tif 000002
【特許請求の範囲】
【請求項１】
第一の状態とこの第一の状態とは異なる第二の状態との間で遷移動作する筐体と、
前記筐体の遷移動作を検出する検出手段と、
前記筐体に設けられ接触を検出することにより入力を受け付ける接触式入力手段と、
前記検出手段により前記筐体の遷移動作が検出された後に前記接触式入力手段が入力を受け付けた場合、受け付けた入力を無効にする制御手段とを備えたことを特徴とする携帯端末。
【請求項２】
前記検出手段は、前記筐体の遷移動作の開始を検出し、
前記制御手段は、前記検出手段により前記筐体の遷移動作の開始が検出された後に前記接触式入力手段が入力を受け付けた場合、受け付けた入力を無効にする請求項１記載の携帯端末。
【請求項３】
前記接触式入力手段は、接触の開始と接触の終了の組合せを検出することにより一の入力を受け付け、
前記制御手段は、前記接触式入力手段により前記接触の開始が検出された後前記検出手段により前記筐体の遷移動作が検出された場合、受け付けた入力を無効にする請求項１記載の携帯端末。
【請求項４】
第一の状態とこの第一の状態とは異なる第二の状態との間で遷移動作する筐体と、
前記筐体の遷移動作を検出する検出手段と、
前記筐体に設けられ接触を検出することにより入力を受け付ける接触式入力手段と、
前記接触式入力手段が受け付けた入力に基づく処理を実行する実行手段と、
前記実行手段により前記処理が実行された後所定時間内に前記検出手段により前記筐体の遷移動作が検出された場合、実行された前記処理を取り消す取消手段を備えたことを特徴とする携帯端末。
【請求項５】
第一の状態とこの第一の状態とは異なる第二の状態との間で遷移動作する筐体と、
前記筐体の遷移動作を検出する検出手段と、
前記筐体に設けられ接触を検出することにより入力を受け付ける接触式入力手段と、
前記検出手段により前記筐体の遷移動作が検出された場合、前記接触式入力手段の接触を検出する感度を小さくする感度制御手段とを備えたことを特徴とする携帯端末。
【請求項６】
前記接触式入力手段は、前記検出手段により前記筐体の遷移動作が検出された後所定時間前記接触式入力手段の接触を検出する感度を小さくする請求項５記載の携帯端末。
【請求項７】
前記検出手段は、前記筐体の遷移動作の開始および完了を検出し、
前記制御手段は、前記検出手段により前記筐体の遷移動作の開始が検出された後前記遷移動作の完了が検出されるまで前記接触式入力手段の接触を検出する感度を小さくする請求項５記載の携帯端末。
【発明の詳細な説明】
【技術分野】
【０００１】
本発明の実施形態は、携帯端末に関する。
【背景技術】
【０００２】
近年、携帯端末には、スライド型、折りたたみ型、スイーベル型、リバーシブル型など種々の形態を有する筐体が採用されている。
【０００３】
例えば、スライド型などの開閉構造を有する携帯端末は、閉状態においてはコンパクトな状態で携帯することができる。また、携帯端末は、開状態においては操作キーなどのキーパットが広く露出し、操作性よく種々の機能を利用することができる。
これらの種々の型式で構成された携帯端末は、型式ごとの利点、欠点を備えている。従来、これらの欠点を低減させるために種々の技術が開示されている。
【０００４】
また、ユーザの入力操作を簡単に、素早く行うことができる種々の入力装置についても知られている。特に、近年においては、携帯端末にユーザが指で接触することにより入力操作を行うことができるタッチセンサを搭載する技術も広く知られるようになった。
【先行技術文献】
【特許文献】
【０００５】
【特許文献１】特開２００６−２１７３８０号公報
【発明の概要】
【発明が解決しようとする課題】
【０００６】
タッチセンサは、接触により入力を受け付けるため、ユーザの意図しない接触により誤動作する可能性が高い。例えば、上述したとおり筐体の形態が変化する携帯端末については、形態の遷移動作を行うユーザの指がタッチセンサに意図せず接触する場合が想定される。このため、形態の遷移動作中においては、タッチセンサの接触に伴う誤動作が発生する可能性が非常に高いという課題があった。
【０００７】
本発明はこのような事情を考慮してなされたもので、接触式の入力手段に対する意図しない接触による誤動作を防止することができる携帯端末を提供することを目的とする。
【課題を解決するための手段】
【０００８】
実施形態の携帯端末によれば、第一の状態とこの第一の状態とは異なる第二の状態との間で遷移動作する筐体と、前記筐体の遷移動作を検出する検出手段と、前記筐体に設けられ接触を検出することにより入力を受け付ける接触式入力手段と、前記検出手段により前記筐体の遷移動作が検出された後に前記接触式入力手段が入力を受け付けた場合、受け付けた入力を無効にする制御手段とを備えた。
【図面の簡単な説明】
【０００９】
【図１】本発明に係る携帯端末の一実施形態であるスライド型の携帯電話機の外観の構成を示す図。
【図２】本発明に係る携帯端末の一実施形態である携帯電話機の主な機能構成を示す概略的な機能ブロック図。
【図３】本実施形態における携帯電話機の主制御部により実行される第１のキーイベント無効処理を説明するフローチャート。
【図４】本実施形態における携帯電話機の主制御部により実行される第２のキーイベント無効処理を説明するフローチャート。
【図５】本実施形態における携帯電話機の主制御部により実行されるキーイベント取消処理を説明するフローチャート。
【図６】本実施形態における携帯電話機の主制御部により実行されるタッチセンサ感度制御処理を説明するフローチャート。
【発明を実施するための形態】
【００１０】
本発明に係る携帯端末の実施形態を添付図面に基づいて説明する。
【００１１】
図１は、本発明に係る携帯端末の一実施形態であるスライド型の携帯電話機１の外観の構成を示す図である。図１（Ａ）は、携帯電話機１の下筐体１２と上筐体１３とがスライドした状態（以下、「開状態」という。）のときの正面から見た外観の構成を示す。図１（Ｂ）は、携帯電話機１の下筐体１２と上筐体１３とが重なり合った状態（以下、「閉状態」という。）のときの正面から見た外観の構成を示す。
【００１２】
携帯電話機１は、図１（Ｂ）に示す上筐体１３と下筐体１２とが重なり合った閉状態において、上筐体１３と下筐体１２とが相対的にスライドされることにより図１（Ａ）に示す開状態となる。この開状態と閉状態は、それぞれ「第一の状態」と「第二の状態」、または「第二の状態」と「第一の状態」に該当する。携帯電話機１は、閉状態および開状態時において上筐体１３の主表面上のディスプレイ１４を露出させる。また、携帯電話機１は、開状態時においてディスプレイ１４および下筐体１２に設けられた操作キー１５を露出させる。
【００１３】
上筐体１３表面の所定位置には静電式や感圧式など種々の方式により実現可能なタッチセンサ１６が設けられる。タッチセンサ１６は、指やスタイラスペンなどによる接触の開始と接触の終了とを検知し、後述する主制御部３１に通知する。
【００１４】
上筐体１３は、ディスプレイ１４を有する。ディスプレイ１４は、電波の受信状態、電池残量の他、電子メール、Ｗｅｂページなどを表示することができる。ディスプレイ１４は、例えばＬＣＤ（Ｌｉｑｕｉｄ  Ｃｒｙｓｔａｌ  Ｄｉｓｐｌａｙ）、有機ＥＬ（ＥｌｅｃｔｒｏＬｕｍｉｎｅｓｃｅｎｃｅ）ディスプレイ、無機ＥＬディスプレイにより構成される。タッチセンサ１６は、ディスプレイ１４上に配置されており、表示画面上の接触を検出することにより種々の入力を受け付ける。
【００１５】
上筐体１３表面のディスプレイ１４の外側には、所定数のサブ操作キー１７が配置される。サブ操作キー１７は、ディスプレイと同様にタッチセンサ１６が配置されており接触により入力を受け付けるようになっている。
なお、本実施形態における携帯電話機１は、ディスプレイ１４およびサブ操作キー１７の少なくとも一方にタッチセンサ１６が配置されていればよい。
【００１６】
図１（Ａ）に示すように、下筐体１２には例えば押下により入力操作を受け付ける操作キー１５が配置される。操作キー１５は、開状態で露出し使用可能となる一方、閉状態では上筐体１３の背後に隠れる。
【００１７】
下筐体１２または上筐体１３には、マイクロフォン１９およびスピーカ２０が所定位置に設けられる。携帯電話機１は、これらのマイクロフォン１９およびスピーカ２０により音声通話機能を実現する。また、下筐体１２には、背面側に図示しないバッテリパックが挿着される。携帯電話機１は、所定の入力操作により電源がオン状態になると、バッテリパックから各回路部に対して電力が供給されて動作可能な状態に起動する。
【００１８】
携帯電話機１は、開状態および閉状態の間の遷移動作を検出するための磁気センサ２４ａ、２４ｂ、２４ｃおよび２４ｄ（以下、単に「磁気センサ２４」という。）を有する。例えば、磁気センサ２４ａ、２４ｂは、上筐体１３の内部の所定位置に配置される。磁気センサ２４ｃ、２４ｄは下筐体１２の内部の所定位置に配置される。
【００１９】
携帯電話機１は、下筐体１２の磁気センサ２４ｃ、２４ｄにより上筐体１３に設けられた磁気センサ２４ａ、２４ｂの検出のレベルを検出し、筐体１２、１３の現在の状態（開状態および閉状態）や状態のスライド動作の開始および完了を検出する。例えば、閉状態から開状態へのスライド動作の開始時は、磁気センサ２４ｄにより検出される磁気センサ２４ａの検出信号が、所定レベル以下に移行した時が該当する。また、閉状態から開状態へのスライド動作の終了時は、磁気センサ２４ｃにより検出される磁気センサ２４ｂの検出信号が、所定レベル以上に移行した時が該当する。開状態から閉状態へのスライド動作の開始時は、磁気センサ２４ｃにより検出される磁気センサ２４ｂの検出信号が、所定レベル以下に移行した時が該当する。また、開状態から閉状態へのスライド動作の終了時は、磁気センサ２４ｄにより検出される磁気センサ２４ａの検出信号が、所定レベル以上に移行した時が該当する。なお、磁気センサ２４は検出手段の一例であって、他のセンサにより携帯電話機１の開閉状態などを検知してもよい。
図２は、本発明に係る携帯端末の一実施形態である携帯電話機１の主な機能構成を示す概略的な機能ブロック図である。
【００２０】
主制御部３１は、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、およびＲＡＭ（Ｒａｎｄｏｍ  Ａｃｃｅｓｓ  Ｍｅｍｏｒｙ）などからなる。ＣＰＵは、ＲＯＭに記憶されているプログラムまたは記憶部４０からＲＡＭにロードされた、オペレーティングシステム（ＯＳ）を含む各種のアプリケーションプログラムや制御プログラムに従って各種の処理を実行する。また、ＣＰＵは、種々の制御信号を生成し、各部に供給することにより携帯電話機１を統括的に制御する。また、ＲＡＭは、ＣＰＵが各種の処理を実行する上において必要なデータなどを適宜記憶する。
電源回路部３３は、バッテリパック３４などの電源供給源を備え、バッテリパック３４から携帯電話機１の各部に対して動作電力を供給する。
【００２１】
表示制御部３５はディスプレイ１４に対する表示インタフェースを備える。表示制御部３５は、主制御部３１の制御に基づいて、文書データや画像データなどをディスプレイ１４に表示する。入力制御部３６は、操作キー１５およびタッチセンサ１６（サブ操作キー１７）に対する入力インタフェースを備える。入力制御部３６は、操作キー１５およびタッチセンサ１６（サブ操作キー１７）が各種入力を受け付けると、これらの入力に割り当てられた所定の信号を生成して主制御部３１に通知する。
【００２２】
音声制御部３７は、マイクロフォン１９で集音されたユーザの音声に基づくアナログ音声信号をデジタル音声信号に変換する。また音声制御部３７は、通信制御部３８などを介して得た通話相手のデジタル音声信号をアナログ音声信号に変換し、スピーカ２０から音声として出力する。
【００２３】
通信制御部３８は、Ｗ−ＣＤＭＡ方式、ＧＳＭ方式、ｃｄｍａ２０００  １ｘ  ＲＴＴ方式、ＥＶＤＯ方式、および３．９世代のＬＴＥシステムの無線アクセスであるＥ−ＵＴＲＡ方式などの各種無線通信方式によって音声通信やデータ通信を行う通信機能を備える。アンテナ３９は、基地局との間で通信に必要な信号を送受信する。
【００２４】
記憶部４０は、主制御部３１が行う処理に用いられる処理プログラムや、処理に必要なデータなどを格納するＲＯＭ（Ｒｅａｄ  Ｏｎｌｙ  Ｍｅｍｏｒｙ）やハードディスク、不揮発性メモリ、主制御部３１が処理を行う際に使用されるデータを一時的に記憶するＲＡＭ（Ｒａｎｄｏｍ  Ａｃｃｅｓｓ  Ｍｅｍｏｒｙ）などから構成される。
【００２５】
ここで、携帯電話機１の下筐体１２と上筐体１３とをスライドさせて閉状態と開状態との間を遷移させる操作をユーザが行う場合、ユーザはまず指を上筐体１３のいずれかの位置に押し当てる動作を行うことが考えられる。その後、ユーザは上筐体１３を下筐体１２に対してスライドさせる動作を行うことにより、開状態または閉状態へと携帯電話機１の状態を遷移させる。このとき、上筐体１３をスライドさせるユーザの指は、タッチセンサ１６に接触する可能性が非常に高い。
【００２６】
本実施形態における携帯電話機１は、開状態と閉状態との間の遷移動作中におけるタッチセンサ１６に対するユーザの指による意図しない接触に基づく誤動作が発生することを好適に防止することができる。以下、携帯電話機１において実行されるタッチセンサ１６の誤動作を防止するための各処理を具体的に説明する。
【００２７】
以下の誤作動防止処理においては、タッチセンサ１６においてユーザの指などの接触の開始が検知された際に主制御部３１において検出するイベントを、「ペンダウンイベント」という。また、タッチセンサ１６においてユーザの指などが離れ接触が終了したことが検知された際に主制御部３１において発生するイベントを、「ペンアップイベント」という。
【００２８】
まず、第１の誤動作防止処理であり、検出されたキーイベントを無効にすることにより誤動作を防止する第１のキーイベント無効処理について説明する。第１のキーイベント防止処理および後述する第２のキーイベント無効処理においては、主制御部３１は、ペンダウンイベントを検出した後にペンアップイベントを検出した場合にキーイベントを発生させるものとする。すなわち、主制御部３１は、ペンアップイベントを検出した場合に入力を受け付けたと判定するものとする。
図３は、本実施形態における携帯電話機１の主制御部３１により実行される第１のキーイベント無効処理を説明するフローチャートである。
【００２９】
ステップＳ１において、主制御部３１は、タッチセンサ１６におけるユーザの指などの接触の開始の検出に基づき、ペンダウンイベントを検出する。ステップＳ２において、主制御部３１は、上筐体１３と下筐体１２とのスライド動作を検出したか否かの判定を行う。このとき主制御部３１は、閉状態から開状態への遷移動作、または開状態から閉状態への遷移動作を検出する。主制御部３１は、スライド動作を検出した場合、ステップＳ３において、スライド動作を検出した旨を示すスライド検出フラグを立てる。
【００３０】
ステップＳ４において、主制御部３１は、タッチセンサ１６からユーザの指などが離れたことによる接触の終了の検出に基づき、ペンアップイベントを検出する。
【００３１】
ステップＳ５において、主制御部３１は、スライド検出フラグが立っていているか否かの判定を行う。主制御部３１は、スライド検出フラグが立っていないと判定した場合、ステップＳ６において、ペンダウンイベントおよびペンアップイベントにより発生したキーイベントを上位のアプリケーションに通知する。すなわち、主制御部３１は、上筐体１３と下筐体１２とのスライド動作中に発生したキーイベントではないためユーザの意図した入力であるとみなして、キーイベントの通知を行う。
【００３２】
一方、主制御部３１は、フラグが立っていると判定した場合、特に処理を行わずに第１のキーイベント無効処理を終了する。すなわち、主制御部３１は、スライド動作中に発生したキーイベントであるためユーザの意図しない入力であるとみなす。主制御部３１は、ペンダウンイベント後にスライド動作が発生した場合には、このペンダウンイベントをスライド動作のための上筐体１３に対する接触に基づいて発生したとみなして、ペンダウンイベントおよびペンアップイベントに基づくキーイベントを無効とする。
【００３３】
次に、第２の誤動作防止処理であり、スライド動作開始後に検出されたキーイベントを無効にすることにより誤動作を防止するキーイベント防止処理について説明する。第２の誤動作防止処理が、図３の第１の誤動作防止処理と異なる点は、スライド動作の開始を検出する点である。
図４は、本実施形態における携帯電話機１の主制御部３１により実行される第２のキーイベント無効処理を説明するフローチャートである。
【００３４】
ステップＳ１１において、主制御部３１は、タッチセンサ１６におけるユーザの指などの接触の開始の検出に基づき、ペンダウンイベントを検出する。ステップＳ１２において、主制御部３１は、上筐体１３と下筐体１２とのスライド動作の開始を検出したか否かの判定を行う。このとき主制御部３１は、閉状態から開状態への遷移動作の開始、または開状態から閉状態への遷移動作の開始が検出されたか否かを判定する。主制御部３１は、スライド動作を検出した場合、ステップＳ１３において、スライド検出フラグを立てる。一方、主制御部３１はスライド動作を検出しない場合、ステップＳ１４に進む。
【００３５】
ステップＳ１４〜ステップＳ１６は、図３の第１のキーイベント無効処理のペンアップイベント検出ステップＳ４〜キーイベント通知処理ステップＳ６とほぼ同様であるため、ここでは説明を省略する。
【００３６】
この第１および第２のキーイベント無効処理によれば、ペンダウンイベントの検出とスライド動作の検出またはスライド動作の開始の検出との組合せにより、ペンダウンイベントおよびペンアップイベントに基づくキーイベントがユーザが意図したキーイベントであるか否かを判断し、タッチセンサ１６の誤動作を好適に防止することができる。
【００３７】
次に、第３の誤動作防止処理であり、発生したキーイベントを取り消すことにより誤動作を防止するキーイベント取消処理について説明する。第１および第２のキーイベント無効処理においては、主制御部３１はペンダウンイベントおよびペンアップイベントの組合せによりキーイベントを発生させた。これに対し、キーイベント取消処理においては、主制御部３１は、ペンダウンイベントのみの検出によってキーイベントを発生させるものとする。
図５は、本実施形態における携帯電話機１の主制御部３１により実行されるキーイベント取消処理を説明するフローチャートである。
【００３８】
ステップＳ２１において、主制御部３１はペンダウンイベントを検出する。ステップＳ２２において、主制御部３１は、ペンダウンイベントにより発生したキーイベントを上位のアプリケーションに通知する。例えば、あるアプリケーションを起動させるキーイベントが発生した場合には、そのアプリケーションが起動し、ディスプレイ１４の画面が遷移する。
【００３９】
ステップＳ２３において、主制御部３１は、所定時間以内に上筐体１３と下筐体１２とのスライド動作を検出したか否かの判定を行う。このとき設定される時間は、例えばユーザによるタッチセンサ１６に対する接触と接触の後に発生するスライド動作とが一連の動作であるとみなすことができる、接触からスライド動作までの時間に相当する時間が好ましい。主制御部３１は、所定時間以内にスライド動作が検出された場合、ステップＳ２４において、発生したキーイベントを取り消す。例えば、キーイベントに基づいてディスプレイ１４の画面が遷移していた場合には、画面の遷移を取り消してキーイベント発生前の画面に戻す。ここでは、主制御部３１は、ペンダウンイベント検出ステップＳ２１において検出されたペンダウンイベントは、ユーザの指がスライド動作を行うために上筐体１３に接触した際に意図せず発生したイベントであるとみなす。このため、主制御部３１は、この意図しないペンダウンイベントによって発生したキーイベントを事後的に取り消すようになっている。
【００４０】
一方、主制御部３１は所定時間が経過してもスライド動作が検出されない場合、特に処理を行わずにキーイベント取消処理を終了する。すなわち、主制御部３１は、ペンダウンイベント検出ステップＳ２１において検出されたペンダウンイベントは、ユーザが意図したタッチセンサ１６に対する接触により発生したものであるとみなす。
【００４１】
このキーイベント取消処理によれば、キーイベントがペンダウンイベントの検出により発生する場合であっても、事後的にイベントを取り消すことにより誤作動を防止することができる。
【００４２】
次に、第４の誤動作防止処理であり、タッチセンサ１６の検知感度を制御することにより誤動作を防止するタッチセンサ感度制御処理について説明する。タッチセンサ感度制御処理においては、主制御部３１は、ペンダウンイベントおよびペンアップイベントの組合せによりキーイベントを発生させてもよいし、ペンダウンイベントのみの検出によってキーイベントを発生させてもよい。
図６は、本実施形態における携帯電話機１の主制御部３１により実行されるタッチセンサ感度制御処理を説明するフローチャートである。
【００４３】
ステップＳ３１において、主制御部３１は、上筐体１３と下筐体１２とのスライド動作を検出する。ステップＳ３２において、主制御部３１は、タッチセンサ１６の感度を小さくするよう制御する。例えばタッチセンサ１６が静電式である場合、主制御部３１は、タッチセンサ１６に対する接触の開始を検知する際の静電容量値を上げる。すなわち、スライド動作中にユーザの指がタッチセンサ１６外からタッチセンサ１６上に意図せず移動した場合のような、わずかな接触が発生した際においては、ペンダウンイベントを発生させない。
【００４４】
ステップＳ３３において、主制御部３１は所定時間のタイマ処理を行う。具体的には、主制御部３１は、スライド動作の開始から完了までの時間に相当する時間を計測しタイムアウトを監視する。
主制御部３１は、タイムアウトが検出されると、ステップＳ３４において、タッチセンサ１６の感度を通常値に戻すよう制御する。
【００４５】
このタッチセンサ感度制御処理によれば、タッチセンサ１６の感度を制御することにより誤動作を防止するため、意図しない瞬間的な接触動作などの検出感度に満たない接触動作については非検出とすることができる。これに対し、接触動作を無効にしたり取り消したりしないため、スライド動作中に発生したユーザが意図した接触動作については検出することができる。
【００４６】
なお、図６のタッチセンサ感度制御処理においてはタッチセンサ１６の感度を小さくする期間を「スライド動作を検出した後から所定時間」とした。しかし、主制御部３１がスライド動作の開始を検出してから完了を検出するまでの間、タッチセンサ１６の感度を小さくしてもよい。スライド動作の開始および完了を監視することで、より好適にタッチセンサ１６の感度の制御を行うことができる。
【００４７】
なお、本実施形態における携帯電話機１では第一の状態と第二の状態との間で遷移動作可能な筐体としてスライド型の筐体を適用した例を説明したが、開閉構造などの異なる形態を構成可能な他の筐体を備えた携帯電話機を本発明に適用することができる。適用可能な筐体の一例は、上筐体および下筐体の積層方向の軸回りに回転する筐体を有する携帯電話機や、ヒンジ結合されたいわゆる折りたたみ型、ヒンジの回転軸に対して垂直な回転軸周りにも回転可能なスイーベル型、ヒンジの回転軸周りに約３６０度回転可能なリバーシブル型の携帯電話機であってもよい。
【００４８】
また、タッチセンサ１６の配置は、図１に示す配置に限られず、筐体の状態遷移動作時にユーザの指が接触する可能性がある範囲内にタッチセンサ１６が配置されればよい。さらに、タッチセンサ１６の配置は上筐体１３の表面上に限られず、下筐体１２や、各筐体１２、１３の側面に配置されてもよい。
【００４９】
本発明は携帯電話機以外にもＰＤＡ（Ｐｅｒｓｏｎａｌ  Ｄｉｇｉｔａｌ  Ａｓｓｉｓｔａｎｔ）、パーソナルコンピュータ、携帯型ゲーム機、携帯型音楽再生機、携帯型動画再生機、その他の遷移動作可能な筐体と接触式入力手段とを備えた携帯端末にも適用することができる。
さらに、本発明の各実施形態において説明した一連の処理は、ソフトウェアにより実行させることもできるが、ハードウェアにより実行させることもできる。
【００５０】
さらにまた、本実施形態では、フローチャートのステップは記載された順序に沿って時系列的に行われる処理の例を示したが、必ずしも時系列的に処理されなくとも、並列的あるいは個別実行される処理をも含むものである。
【符号の説明】
【００５１】
１  携帯電話機
１２  下筐体
１３  上筐体
１４  ディスプレイ
１５  操作キー
１６  タッチセンサ
１７  サブ操作キー
１９  マイクロフォン
２０  スピーカ
２４  磁気センサ
３１  主制御部
３３  電源回路部
３４  バッテリパック
３５  表示制御部
３６  入力制御部
３７  音声制御部
３８  通信制御部
３９  アンテナ
４０  記憶部
【図１】
2011254284.tif 000003
【図２】
2011254284.tif 000004
【図３】
2011254284.tif 000005
【図４】
2011254284.tif 000006
【図５】
2011254284.tif 000007
【図６】
2011254284.tif 000008